(57)【要約】【課題】薬剤揮散器具などの小型器具の稼働時における吸排気の様子や気流の拡散状態を可視化するデモンストレーション方法が望まれていた。【解決手段】本発明に係る薬剤揮散器具のデモンストレーション方法は、吸気口と排気口を有し、内部に活性成分を収納可能な薬剤揮散器具と、薬剤揮散器具の後方に設置した背景材と、可視化したトレーサとを備え、吸気口の近傍にトレーサを供給し、薬剤揮散器具の稼働によって吸気口からトレーサを薬剤揮散器具の内部に吸引させ、排気口からトレーサを排出させることを特徴とする。【選択図】図１
2010181404.tif 000002
【特許請求の範囲】
【請求項１】
吸気口と排気口を有し、内部に活性成分を収納可能な薬剤揮散器具と、
前記薬剤揮散器具の後方に設置した背景材と、
可視化したトレーサとを備え、
前記吸気口の近傍に前記トレーサを供給し、
前記薬剤揮散器具の稼働によって前記吸気口から前記トレーサを前記薬剤揮散器具の内部に吸引させ、
前記排気口から前記トレーサを排出させることを特徴とする薬剤揮散器具のデモンストレーション方法。
【請求項２】
前記背景材が、
前記トレーサの色彩との比較において視認性の高い色彩の背景材であることを特徴とする請求項１に記載の薬剤揮散器具のデモンストレーション方法。
【請求項３】
前記薬剤揮散器具の後方から前記薬剤揮散器具または前記排気口から排出させるトレーサに向けて照明を照らすことを特徴とする請求項１または請求項２に記載の薬剤揮散器具のデモンストレーション方法。
【請求項４】
前記トレーサが、
微粒子粉体、水ミスト、煙、ドライアイスの昇華によって生じる白煙から選ばれる少なくとも１種以上のものであることを特徴とする請求項１から請求項３のいずれか一項に記載の薬剤揮散器具のデモンストレーション方法。
【請求項５】
前記活性成分が、
防虫剤、殺虫剤、消臭剤、芳香剤、除菌剤から選ばれる少なくとも１種以上のものであることを特徴とする請求項１から請求項４のいずれか一項に記載の薬剤揮散器具のデモンストレーション方法。
【請求項６】
前記薬剤揮散器具の稼働によって、前記吸気口から前記トレーサを取り入れ、任意の時間、前記排気口から前記トレーサを排出する一連の過程を連続してデモンストレーションすることを特徴とする請求項１から請求項５のいずれか一項に記載の薬剤揮散器具のデモンストレーション方法。
【発明の詳細な説明】
【技術分野】
【０００１】
本発明は、防虫成分や消臭成分などの活性成分を内部に収納可能な薬剤揮散器具のデモンストレーション方法に係り、更に詳しくは薬剤揮散器具の稼働時の吸排気の様子および気流の拡散状態を可視化する方法に関するものである。
【背景技術】
【０００２】
近年、防虫成分や消臭成分など気化する薬剤を内部に収納し、気化した薬剤を屋内空間または屋外空間に拡散させる電気式の薬剤揮散器具が開発されている。
このような薬剤揮散器具は吸気口と排気口が設けられており、稼働時に電源を用いファンや薬剤を保持させた担体などを回転させて吸気口から空気を取り込み、その空気を薬剤に当てたり、担体に遠心力を加えたりして薬剤の気化を促し、気化した薬剤を排気口から排出される空気にのせて屋内空間または屋外空間に拡散させるものである。
【０００３】
しかしながら、これらの薬剤揮散器具は内部に収納している薬剤が気化してもこれらの物質は無色であることから、稼働時に薬剤が適用したい空間に拡散しているか、またどのように拡散しているかを肉眼にて確認することができない。
【０００４】
一方、蚊取り線香など従来から使用されている防虫剤などは、使用時に有色の煙が発生することから、薬剤が適用したい空間に拡散しているか否かを容易に肉眼で確認することができる。
【０００５】
また、従来技術として無色である空気の流れを可視化する方法として、微細な水滴、塩酸のミスト、炭酸マグネシウムの微粉末などを利用することが例えば特許文献１において開示されている。
【先行技術文献】
【特許文献】
【０００６】
【特許文献１】特開昭６２−６７４１９号公報
【発明の概要】
【発明が解決しようとする課題】
【０００７】
しかしながら、特許文献１に記載の気流の可視化方法はトレーサに直径２０μｍ以下の微細な水滴を用いているものの、かかる水滴を閉鎖空間の全体に噴霧してクリーンルームなどの大型閉鎖空間全体の大まかな空気の流れを把握するものであり、薬剤揮散器具などの小型器具の稼働時における吸排気の様子や気流の拡散状態を正確に把握できるものは開発されておらず、特に日用品のユーザーである一般消費者に理解してもらうことが難しかった。
【０００８】
本発明は、上記した従来の問題点に鑑みてなされたものであって、薬剤揮散器具などの小型器具の稼働時における吸排気の様子や気流の拡散状態を可視化するデモンストレーション方法を提供することを目的とする。
【課題を解決するための手段】
【０００９】
上記目的を達成するために、本発明の請求項１に係る薬剤揮散器具のデモンストレーション方法は、吸気口と排気口を有し、内部に活性成分を収納可能な薬剤揮散器具と、薬剤揮散器具の後方に設置した背景材と、可視化したトレーサとを備え、吸気口の近傍にトレーサを供給し、薬剤揮散器具の稼働によって吸気口からトレーサを薬剤揮散器具の内部に吸引させ、排気口からトレーサを排出させる構成にしてある。
【００１０】
本発明の請求項２に係る薬剤揮散器具のデモンストレーション方法は、背景材が、トレーサの色彩との比較において視認性の高い色彩の背景材である構成にしてある。
【００１１】
本発明の請求項３に係る薬剤揮散器具のデモンストレーション方法は、薬剤揮散器具の後方から薬剤揮散器具または排気口から排出させるトレーサに向けて照明を照らす構成にしてある。
【００１２】
本発明の請求項４に係る薬剤揮散器具のデモンストレーション方法は、トレーサが、微粒子粉体、水ミスト、煙、ドライアイスの昇華によって生じる白煙から選ばれる少なくとも１種以上のものである構成にしてある。
【００１３】
本発明の請求項５に係る薬剤揮散器具のデモンストレーション方法は、活性成分が、防虫剤、殺虫剤、消臭剤、芳香剤、除菌剤から選ばれる少なくとも１種以上のものである構成にしてある。
【００１４】
本発明の請求項６に係る薬剤揮散器具のデモンストレーション方法は、薬剤揮散器具の稼働によって、吸気口からトレーサを取り入れ、任意の時間、排気口からトレーサを排出する一連の過程を連続してデモンストレーションする構成にしてある。
【発明の効果】
【００１５】
本発明の請求項１、請求項６に係る薬剤揮散器具のデモンストレーション方法によれば、吸気口と排気口を有し、内部に活性成分を収納可能な薬剤揮散器具と、薬剤揮散器具の後方に設置した背景材と、可視化したトレーサとを備え、吸気口の近傍にトレーサを供給し、薬剤揮散器具の稼働によって吸気口からトレーサを薬剤揮散器具の内部に吸引させ、排気口からトレーサを排出させるように構成されており、また、これらの一連の過程を任意の時間連続して行うように構成されているので、薬剤揮散器具などの小型器具の稼働時における吸排気の様子や気流の拡散状態を正確に把握することができる。
【００１６】
本発明の請求項２、請求項３に係る薬剤揮散器具のデモンストレーション方法によれば、背景材が、トレーサの色彩との比較において視認性の高い色彩の背景材であり、また、薬剤揮散器具の後方から薬剤揮散器具または排気口から排出させるトレーサに向けて照明を照らすように構成されているので、吸排気の様子や気流の拡散状態をより明瞭に把握することができる。
【００１７】
本発明の請求項４に係る薬剤揮散器具のデモンストレーション方法によれば、トレーサが、微粒子粉体、水ミスト、煙、ドライアイスの昇華によって生じる白煙から選ばれる少なくとも１種以上のものであるように構成されているので、簡単に入手できる材料によって、効果的に吸排気の様子や気流の拡散状態を把握することができる。
【００１８】
本発明の請求項５に係る薬剤揮散器具のデモンストレーション方法は、活性成分が、防虫剤、殺虫剤、消臭剤、芳香剤、除菌剤から選ばれる少なくとも１種以上のものであるように構成されているので、各種の活性成分を用いた薬剤揮散器具の吸排気の様子や気流の拡散状態を把握することができる。
【図面の簡単な説明】
【００１９】
【図１】本発明に係る薬剤揮散器具のデモンストレーション方法の第１の実施形態を示す模式図である。
【図２】第１の実施形態における薬剤揮散器具の稼働前後の気流状態を示す模式図である。
【図３】本発明に係る薬剤揮散器具のデモンストレーション方法の第２の実施形態を示す模式図である。
【図４】第２の実施形態における薬剤揮散器具の稼働前後の気流状態を示す模式図である。
【発明を実施するための形態】
【００２０】
本発明の実施形態を図面に基づいて説明する。なお、以下に述べる実施形態は本発明を具体化した一例に過ぎず、本発明の技術的範囲を限定するものでない。
【００２１】
（第１の実施形態）
まず、第１の実施形態に係るデモンストレーション方法の構成を図１に基づいて説明する。なお、図１は本発明に係る薬剤揮散器具のデモンストレーション方法の第１の実施形態を示す模式図である。
【００２２】
（第１の実施形態の構成）
本実施形態に係るデモンストレーション方法は、図１に示すように、薬剤揮散器具１、トレーサ供給装置２、トレーサ３、背景材４を主要部材として構成されている。
【００２３】
次に、本実施形態に係るデモンストレーション方法の構成を説明する。
【００２４】
（薬剤揮散器具）
次に、薬剤揮散器具１について説明する。
本実施形態における薬剤揮散器具１は内部に活性成分（図示せず）を収納することが可能なものであり、電池を電源としてファン（図示せず）などを回転させて風を発生させ、その風を薬剤にあてて気化した薬剤を屋内空間または屋外空間に拡散させたり、薬剤を保持させた担体（図示せず）を電池を電源として回転させて気化した薬剤を屋内空間または屋外空間に拡散させたり、あるいはこれらを併用したりするものである。
また、活性成分は常温において気化するもの、あるいは風や温度などの若干のエネルギーを加えることにより気化するものであり、例えば防虫剤、殺虫剤、消臭剤、芳香剤、除菌剤などに用いられる気化成分が挙げられ、これらの成分を不織布などの担体に含浸させたものである。
【００２５】
（トレーサ供給装置およびトレーサ）
次に、トレーサ供給装置２およびトレーサ３について説明する。
本実施形態におけるトレーサ供給装置２は、三角フラスコ５にドライアイス６と水７が入っているものであり、ドライアイス６が昇華する際に発生する白煙をトレーサ３として用いている。
また、本実施形態におけるトレーサ供給装置２は、トレーサ３に空気よりも重い二酸化炭素を用いていることから、当該供給装置２を薬剤揮散器具１よりも高い位置に設置してホース８を用いてトレーサ３をより安定して薬剤揮散器具１の吸気口１０近傍に供給している。
【００２６】
ここで、トレーサ３としては、観察者が肉眼によってトレーサ３を識別することができ、薬剤揮散器具１の吸気口１０に供給して排気口１１から放出できるものであれば特に材質などには限定されず、例えば無水ケイ酸などの微粒子粉体、微細な水滴である水ミスト、発煙ボールや蚊取り線香などの煙を用いることができる。
【００２７】
また、トレーサ３は、デモンストレーションを行う時間内、具体的には薬剤揮散器具１の稼働前から稼働開始を経て稼働終了に至る時間内において連続して供給できることが必要であり、少なくとも５００ｍｌ／分以上を１分以上供給できるものであることが好ましい。
【００２８】
なお、本実施形態のように、トレーサ３としてドライアイス６に水７を加えた際に発生する白煙を用いる場合には、ドライアイス６と水７が接触することによってドライアイス６の表面に氷が析出して徐々にトレーサ３としての白煙の発生量が低下することがある。そこで、この現象を防止するために、三角フラスコ５などのドライアイス６を入れた容器に超音波を照射してドライアイス６の表面に析出する氷を破壊することもできる。
【００２９】
（背景材）
次に、背景材４について説明する。
本実施形態における背景材４は、一方が開放された内部が黒色に着色された箱体を用いているが、薬剤揮散器具１の後方に設置でき、観察者が薬剤揮散器具１から放出されるトレーサ３を識別できるように色彩が施されているものであれば特に形状や材質には限定されず、例えば板、紙、布などを用いることができる。
なお、背景材については、ショールームや実演会場などに棚や壁などがあり、その棚や壁の色彩が後記するようにトレーサの色彩との組み合わせにおいて観察者がトレーサの色彩を識別できるものであれば、特別に背景材を準備する必要はなく、これらの棚や壁などを背景材として使用することもできる。
【００３０】
次に、主要部材以外の構成要素について説明する。
【００３１】
（トレーサおよび背景材の色彩）
本実施形態におけるトレーサ３および背景材４の色彩は、トレーサ３が白色、背景材４が黒色であるが、両者の色彩の組み合わせにおいて観察者がトレーサ３の色彩を識別できるものであれば具体的な色彩は特に限定されず、各種の色彩のものを用いることができ、またこれらの色彩は一色でも複数色でもよく、背景材の色彩については模様などが施されていても構わない。
なお、視認性の高い色彩の組み合わせとしては、例えば表１に記載の組み合わせなどを挙げることができることから、これらの色彩を有するものを用いることが好ましい。
【００３２】
【表１】
2010181404.tif 000003
【００３３】
（照明）
本実施形態においては、トレーサ３の識別性をさらに向上させるために、照明９によってトレーサ３を照らしている。なお、かかる照明９は光源の種類や光量などには特に限定されず、豆電球、蛍光灯、白熱灯など各種の光源を用いることができる。但し、後記する第２の実施形態のように照明を必要することなくトレーサを十分識別することができる場合は照明を用いなくても構わない。
また、照明９の設置位置については、照明９の光が観察者の肉眼に直接入って、観察者がトレーサ３を識別することが困難になることがないように、薬剤揮散器具１の後方から薬剤揮散器具１または排出されるトレーサ３に向けて光が照射されるように設置することが好ましい。
【００３４】
次に、上記のように構成されたデモンストレーション方法を図１と図２に基づいて説明する。図２は第１の実施形態における薬剤揮散器具の稼働前後の気流状態を示す模式図である。
【００３５】
まず、図２（ａ）に示すように、中にドライアイス６と水７が入っているトレーサ供給装置２からトレーサ３としてドライアイス６の昇華によって生じる白煙がホース８を通じて薬剤揮散器具１の吸気口１０の近傍に供給される。この際には薬剤揮散器具１のスイッチが入っていないことから、吸気口１０の近傍に供給されたトレーサ３は吸気口１０には吸い込まれず、吸気口１０の近傍に漂っている状態となっている。
【００３６】
次に、薬剤揮散器具１のスイッチを入れ、薬剤揮散器具１のファンあるいは薬剤が保持されている担体を回転させる。
【００３７】
そうすると、図２（ｂ）に示すように、吸気口１０の近傍の空気が吸気口１０に取り込まれる気流が発生することから、その気流にのってトレーサ３が吸気口１０に取り込まれることになる。
そして、吸気口１０に取り込まれたトレーサ３は、薬剤揮散器具１の内部を通過して排気口１１から排出される。その際、トレーサ３は、薬剤揮散器具１のファンあるいは薬剤が保持されている担体の回転によって、時計回りなど気流に回転方向がついた状態で排気口１１から排出される。
【００３８】
ここで、黒色の背景材４に対して白色のトレーサ３が拡散し、トレーサ３には照明９が当てられていることから、観察者は容易に肉眼でトレーサ３の流れを追うことができ、薬剤揮散器具１の稼働時の吸排気の様子および気流の拡散状態を把握することができる。
【００３９】
また、各種の薬剤揮散器具における吸排気の様子および気流の拡散状態を観察することによって、器具間における吸引性能、拡散性能を比較評価することができる。そして、この比較評価の過程をデモンストレーション作業として展示会や一般店頭において消費者の前で実際に実施することにより、日常的に薬剤揮散器具を使用する消費者に対し、新商品として開発した薬剤揮散器具の性能をより効果的に訴求することもできる。
【００４０】
さらに、吸排気の様子および気流の拡散状態を動画や写真にして頒布することによって、消費者に新商品として開発した薬剤揮散器具の効果を訴求することもできる。
【００４１】
（第２の実施形態）
次に、第２の実施形態に係る第２の実施形態に係るデモンストレーション方法の構成を図１に基づいて説明する。なお、図３は本発明に係る薬剤揮散器具のデモンストレーション方法の第２の実施形態を示す模式図である。
【００４２】
（第２の実施形態の構成）
本実施形態に係るデモンストレーション方法についても、薬剤揮散器具１、トレーサ供給装置２、トレーサ３、背景材４を主要部材として構成されている点は第１の実施形態と同様である。
一方、本実施形態におけるトレーサ３としては発煙ボール（井上玩具煙火株式会社製）の出す緑色の煙を用い、背景材４としては黄色のアクリル板を用いている。
また、本実施形態におけるトレーサ３は、空気よりも軽い発煙ボールの煙を用いていることから、図３に示すように、デシケータ１２をトレーサ供給装置２とし、当該供給装置２を薬剤揮散器具１よりも低い位置に設置して、当該供給装置２の下部からホース１３によって空気を送り込んでトレーサ３を押し出すことによってトレーサ３をより安定して薬剤揮散器具１に供給している。
なお、第１の実施形態に用いられている照明は本実施形態においては使用していない。
【００４３】
次に、上記のように構成されたデモンストレーション方法を図３と図４に基づいて説明する。図４は第２の実施形態における薬剤揮散器具の稼働前後の気流状態を示す模式図である。
【００４４】
まず、中に発煙ボール１４が入っているトレーサ供給装置２からトレーサ３として発煙ボール１４の緑色の煙がホース８を通じて薬剤揮散器具１の吸気口１０の近傍に供給される。この際には薬剤揮散器具１のスイッチが入っていないことから、吸気口１０の近傍に供給されたトレーサ３は吸気口１０には吸い込まれず、吸気口１０の近傍に漂っている状態となっている。
【００４５】
次に、薬剤揮散器具１のスイッチを入れ、薬剤揮散器具１のファンあるいは薬剤が保持されている担体を回転させる。そうすると吸気口１０の近傍の空気が吸気口１０に取り込まれる気流が発生することから、その気流にのってトレーサ３が吸気口１０に吸い込まれることになる。
【００４６】
次に、吸気口１０に吸い込まれたトレーサ３は、薬剤揮散器具１の内部を通過して排気口１１から排出される。その際、トレーサ３は、薬剤揮散器具１のファンあるいは薬剤が保持されている担体の回転によって、時計回りなど気流に回転方向がついた状態で排気口１１から排出される。
【００４７】
ここで、黄色の背景材４に対して緑色のトレーサ３が拡散していることから、観察者は容易に肉眼でトレーサ３の流れを追うことができ、薬剤揮散器具１の稼働時の吸排気の様子および気流の拡散状態を把握することができる。
【００４８】
また、前記した第１の実施形態と同様の効果を得ることができる。
【産業上の利用可能性】
【００４９】
本発明の薬剤揮散器具のデモンストレーション方法は、防虫成分や消臭成分などの活性成分を内部に収納可能な薬剤揮散器具の稼働時の吸排気の様子および気流の拡散状態を可視化する方法に用いることができる。
【符号の説明】
【００５０】
１    薬剤揮散器具
２    トレーサ供給装置
３    トレーサ
４    背景材
５    三角フラスコ
６    ドライアイス
７    水
８    ホース
９    照明
１０  吸気口
１１  排気口
１２  デシケータ
１３  ホース
１４  発煙ボール
【図１】
2010181404.tif 000004
【図２】
2010181404.tif 000005
【図３】
2010181404.tif 000006
【図４】
2010181404.tif 000007